(57)【要約】【課題】本発明はネックレス収納ケースを開示した。【解決手段】当該収納ケースはケース本体を含み、前記ケース本体の頂端には第一固定ブロックが固定的に設けられ、前記第一固定ブロックの中には第一回転軸が回転できるように設けられ、前記第一回転軸の前後には第二固定ブロックが固定的に設けられ、前記第二固定ブロックの右端には蓋が固定的に設けられ、本発明のネックレス収納ケースは操作が簡単で、しっかりとロックすることができ、同時に、本発明の装置はシンプルで、環境にやさしくて高効率で、実用性が高い。【選択図】図１
2020175074.tif 000002
【特許請求の範囲】
【請求項１】
ケース本体を含み、前記ケース本体の頂端には第一固定ブロックが固定的に設けられ、前記第一固定ブロックの中には第一回転軸が回転できるように設けられ、前記第一回転軸の前後には第二固定ブロックが固定的に設けられ、前記第二固定ブロックの右端には蓋が固定的に設けられ、前記ケース本体の中には上に開口した第一中空チャンバが設けられ、前記第一中空チャンバの右端には第一スライド溝が設けられ、前記第一スライド溝と前記第一中空チャンバとの間には第二中空チャンバが連通して設けられ、前記第一スライド溝の右側頂端には第二スライド溝が連通して設けられ、前記蓋と前記第一スライド溝との間にはバックル装置が設けられ、前記第一中空チャンバと前記第一スライド溝との間には圧着装置が設けられ、前記第一中空チャンバの左端には第三中空チャンバが連通して設けられ、前記第一中空チャンバの底端には第四中空チャンバが設けられ、前記第三中空チャンバと前記第一中空チャンバとの間には乾燥脱臭装置が設けられることを特徴とするネックレス収納ケース。
【請求項２】
前記バックル装置は前記蓋を含み、前記蓋の末端には第三スライド溝が左右に貫通するように設けられ、前記第三スライド溝の中には傾斜ブロックがスライドできるように設けられ、前記第三スライド溝の頂端には第四スライド溝が連通して設けられ、前記第四スライド溝の中には前記傾斜ブロックと固定的に連結される第一スライドブロックがスライドできるように設けられ、前記第一スライドブロックと前記第四スライド溝の左側端面との間には第一ばねが固定的に連結され、前記第二スライド溝の中には第一永久磁石がスライドできるように設けられ、前記第二スライド溝の頂端には金属片が固定的に設けられ、前記第二スライド溝の底端には第六スライド溝が連通して設けられ、前記第六スライド溝の中には前記第一永久磁石と固定的に連結される第二スライドブロックがスライドできるように設けられ、前記第二スライドブロックと前記第六スライド溝の右側端面との間には第二ばねが固定的に連結され、前記第二スライド溝の底端には第七スライド溝が連通して設けられ、前記第七スライド溝の中には第二永久磁石がスライドできるように設けられ、前記第七スライド溝の底端には第八スライド溝が設けられ、前記第八スライド溝の中にはＴ型スライドブロックがスライドできるように設けられ、前記Ｔ型スライドブロックと前記第八スライド溝の端面との間には第三ばねが固定的に連結され、前記Ｔ型スライドブロックと前記第二永久磁石との間には液圧配管が伝動できるように設けられることを特徴とする請求項１に記載のネックレス収納ケース。
【請求項３】
前記圧着装置は前記第一スライド溝を含み、前記第一スライド溝の中には第三スライドブロックがスライドできるように設けられ、前記第三スライドブロックの左端には第一ラックが固定的に設けられ、前記第三スライドブロックの頂端には第三永久磁石が固定的に設けられ、前記第二中空チャンバの中には第二回転軸が回転できるように設けられ、前記第二回転軸にはギヤが固定的に設けられ、前記第一中空チャンバの中には第四スライドブロックがスライドできるように設けられ、前記第四スライドブロックの底面と前記第一中空チャンバの底面との間には第三ばねが固定的に連結され、前記第四スライドブロックの右端には第二ラックが固定的に設けられ、前記第二ラックと前記第一ラックとがいずれも前記ギヤと噛み合っており、前記第四スライドブロックの頂端には第一スポンジが固定的に設けられ、前記蓋の底面には第二スポンジが固定的に設けられることを特徴とする請求項１に記載のネックレス収納ケース。
【請求項４】
前記乾燥脱臭装置は前記第三中空チャンバを含み、前記第三中空チャンバの頂端には第五ばねが固定的に設けられ、前記第五ばねの両側には抜き孔が左右に貫通するように設けられ、前記第一円筒の中に脱臭乾燥剤を置くことができ、前記第一円筒の外側には第二円筒が設けられ、前記第二円筒の内底壁と前記第一円筒の外底面との間には前記第五ばねが固定的に連結され、前記第四中空チャンバには第三回転軸が左右対称のように回転できるように設けられ、前記第三回転軸にはリールが固定的に設けられ、前記第二円筒と前記第四スライドブロックとの間には鋼線が連結され、前記鋼線が前記リールに巻き付けられ、前記第三中空チャンバの頂端には連通溝が連通して設けられ、前記連通溝の右端には第四回転軸が連通して設けられ、前記第四回転軸と前記ケース本体の外側との間にはつまみが回転できるように設けられ、前記つまみにはカムが固定的に設けられ、前記カムが前記連通溝を閉塞し、前記つまみと前記第四回転軸の底面との間には捻りばねが固定的に連結されることを特徴とする請求項１に記載のネックレス収納ケース。
【発明の詳細な説明】
【技術分野】
【０００１】
本発明はアクセサリー生産分野を取り上げて、具体的にはネックレス収納ケースである。
【背景技術】
【０００２】
従来のネックレス収納ケースは異なる厚さのネックレスに対応できなく、ネックレスが厚すぎるあるいは薄すぎる時は余計に収納ケースを変える必要があり、つけられた後のネックレスには汗等が残り、直接そのまま収納ケースに保存してしまうと変なにおいがすることがあり、直接乾燥剤と芳香剤を置くと、普段ネックレスが収納されない時も乾燥剤と芳香剤を消耗するので、環境に優しくなく、
そのため、ネックレス収納ケースを設計して以上の問題を解決することが必要であり、ネックレス収納を実現すると同時に、シンプルで環境に優しく、実用性が高い。
【先行技術文献】
【特許文献】
【０００３】
【特許文献１】中国特許出願公開第１０５８５７８２９号明細書
【発明の概要】
【発明が解決しようとする課題】
【０００４】
本発明はネックレス収納ケースを提供し、上記の従来技術における問題を解決することを目的とする。
【課題を解決するための手段】
【０００５】
本発明は以下の技術プランにより実現される：本発明のネックレス収納ケースは、当該収納ケースはケース本体を含み、前記ケース本体の頂端には第一固定ブロックが固定的に設けられ、前記第一固定ブロックの中には第一回転軸が回転できるように設けられ、前記第一回転軸の前後には第二固定ブロックが固定的に設けられ、前記第二固定ブロックの右端には蓋が固定的に設けられ、前記ケース本体の中には上に開口した第一中空チャンバが設けられ、前記第一中空チャンバの右端には第一スライド溝が設けられ、前記第一スライド溝と前記第一中空チャンバとの間には第二中空チャンバが連通して設けられ、前記第一スライド溝の右側頂端には第二スライド溝が連通して設けられ、前記蓋と前記第一スライド溝との間にはバックル装置が設けられ、前記第一中空チャンバと前記第一スライド溝との間には圧着装置が設けられ、前記第一中空チャンバの左端には第三中空チャンバが連通して設けられ、前記第一中空チャンバの底端には第四中空チャンバが設けられ、前記第三中空チャンバと前記第一中空チャンバとの間には乾燥脱臭装置が設けられる。
【０００６】
その中、前記バックル装置は前記蓋を含み、前記蓋の末端には第三スライド溝が左右に貫通するように設けられ、前記第三スライド溝の中には傾斜ブロックがスライドできるように設けられ、前記第三スライド溝の頂端には第四スライド溝が連通して設けられ、前記第四スライド溝の中には前記傾斜ブロックと固定的に連結される第一スライドブロックがスライドできるように設けられ、前記第一スライドブロックと前記第四スライド溝の左側端面との間には第一ばねが固定的に連結され、前記第二スライド溝の中には第一永久磁石がスライドできるように設けられ、前記第二スライド溝の頂端には金属片が固定的に設けられ、前記第二スライド溝の底端には第六スライド溝が連通して設けられ、前記第六スライド溝の中には前記第一永久磁石と固定的に連結される第二スライドブロックがスライドできるように設けられ、前記第二スライドブロックと前記第六スライド溝の右側端面との間には第二ばねが固定的に連結され、前記第二スライド溝の底端には第七スライド溝が連通して設けられ、前記第七スライド溝の中には第二永久磁石がスライドできるように設けられ、前記第七スライド溝の底端には第八スライド溝が設けられ、前記第八スライド溝の中にはＴ型スライドブロックがスライドできるように設けられ、前記Ｔ型スライドブロックと前記第八スライド溝の端面との間には第三ばねが固定的に連結され、前記Ｔ型スライドブロックと前記第二永久磁石との間には液圧配管が伝動できるように設けられる。
【０００７】
その中、前記圧着装置は前記第一スライド溝を含み、前記第一スライド溝の中には第三スライドブロックがスライドできるように設けられ、前記第三スライドブロックの左端には第一ラックが固定的に設けられ、前記第三スライドブロックの頂端には第三永久磁石が固定的に設けられ、前記第二中空チャンバの中には第二回転軸が回転できるように設けられ、前記第二回転軸にはギヤが固定的に設けられ、前記第一中空チャンバの中には第四スライドブロックがスライドできるように設けられ、前記第四スライドブロックの底面と前記第一中空チャンバの底面との間には第三ばねが固定的に連結され、前記第四スライドブロックの右端には第二ラックが固定的に設けられ、前記第二ラックと前記第一ラックとがいずれも前記ギヤと噛み合っており、前記第四スライドブロックの頂端には第一スポンジが固定的に設けられ、前記蓋の底面には第二スポンジが固定的に設けられる。
【０００８】
好ましくは、前記乾燥脱臭装置は前記第三中空チャンバを含み、前記第三中空チャンバの頂端には第五ばねが固定的に設けられ、前記第五ばねの両側には抜き孔が左右に貫通するように設けられ、前記第一円筒の中に脱臭乾燥剤を置くことができ、前記第一円筒の外側には第二円筒が設けられ、前記第二円筒の内底壁と前記第一円筒の外底面との間には前記第五ばねが固定的に連結され、前記第四中空チャンバには第三回転軸が左右対称のように回転できるように設けられ、前記第三回転軸にはリールが固定的に設けられ、前記第二円筒と前記第四スライドブロックとの間には鋼線が連結され、前記鋼線が前記リールに巻き付けられ、前記第三中空チャンバの頂端には連通溝が連通して設けられ、前記連通溝の右端には第四回転軸が連通して設けられ、前記第四回転軸と前記ケース本体の外側との間にはつまみが回転できるように設けられ、前記つまみにはカムが固定的に設けられ、前記カムが前記連通溝を閉塞し、前記つまみと前記第四回転軸の底面との間には捻りばねが固定的に連結される。
【発明の効果】
【０００９】
以上により、本発明のネックレス収納ケースは操作が簡単で、しっかりとロックすることができ、同時に、本発明の装置はシンプルで、環境にやさしくて高効率で、実用性が高い。
【図面の簡単な説明】
【００１０】
説明しやすいために、本発明は下記の具体的な実施例及び付図により詳しく説明する。
【００１１】
【図１】図１は本発明のネックレス収納ケースの全体構成模式図
【図２】図２は図１の中のＡ−Ａの拡大構成模式図
【図３】図３は図１の中のＢ−Ｂの拡大構成模式図
【図４】図４は図１の中のＣの拡大構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１４】
図１〜４が示すように、本発明のネックレス収納ケースは、当該収納ケースはケース本体１３を含み、前記ケース本体１３の頂端には第一固定ブロック１１が固定的に設けられ、前記第一固定ブロック１１の中には第一回転軸１０が回転できるように設けられ、前記第一回転軸１０の前後には第二固定ブロック１２が固定的に設けられ、前記第二固定ブロック１２の右端には蓋５１が固定的に設けられ、前記ケース本体１３の中には上に開口した第一中空チャンバ２０が設けられ、前記第一中空チャンバ２０の右端には第一スライド溝２６が設けられ、前記第一スライド溝２６と前記第一中空チャンバ２０との間には第二中空チャンバ４７が連通して設けられ、前記第一スライド溝２６の右側頂端には第二スライド溝４２が連通して設けられ、前記蓋５１と前記第一スライド溝２６との間にはバックル装置９２が設けられ、前記第一中空チャンバ２０と前記第一スライド溝２６との間には圧着装置９１が設けられ、前記第一中空チャンバ２０の左端には第三中空チャンバ１４が連通して設けられ、前記第一中空チャンバ２０の底端には第四中空チャンバ１９が設けられ、前記第三中空チャンバ１４と前記第一中空チャンバ２０との間には乾燥脱臭装置９０が設けられる。
【００１５】
以下、前記バックル装置９２を実現するための具体的な実施方式を詳しく紹介し、前記バックル装置９２は前記蓋５１を含み、前記蓋５１の末端には第三スライド溝３６が左右に貫通するように設けられ、前記第三スライド溝３６の中には傾斜ブロック４０がスライドできるように設けられ、前記第三スライド溝３６の頂端には第四スライド溝３７が連通して設けられ、前記第四スライド溝３７の中には前記傾斜ブロック４０と固定的に連結される第一スライドブロック３８がスライドできるように設けられ、前記第一スライドブロック３８と前記第四スライド溝３７の左側端面との間には第一ばね３９が固定的に連結され、前記第二スライド溝４２の中には第一永久磁石４１がスライドできるように設けられ、前記第二スライド溝４２の頂端には金属片４５が固定的に設けられ、前記第二スライド溝４２の底端には第六スライド溝３３が連通して設けられ、前記第六スライド溝３３の中には前記第一永久磁石４１と固定的に連結される第二スライドブロック３４がスライドできるように設けられ、前記第二スライドブロック３４と前記第六スライド溝３３の右側端面との間には第二ばね３５が固定的に連結され、前記第二スライド溝４２の底端には第七スライド溝３２が連通して設けられ、前記第七スライド溝３２の中には第二永久磁石３１がスライドできるように設けられ、前記第七スライド溝３２の底端には第八スライド溝２９が設けられ、前記第八スライド溝２９の中にはＴ型スライドブロック３０がスライドできるように設けられ、前記Ｔ型スライドブロック３０と前記第八スライド溝２９の端面との間には第三ばね２８が固定的に連結され、前記Ｔ型スライドブロック３０と前記第二永久磁石３１との間には液圧配管２７が伝動できるように設けられる。
【００１６】
そして、図１を参照して本出願の前記圧着装置９１を詳しく紹介し、前記圧着装置９１は前記第一スライド溝２６を含み、前記第一スライド溝２６の中には第三スライドブロック４３がスライドできるように設けられ、前記第三スライドブロック４３の左端には第一ラック４６が固定的に設けられ、前記第三スライドブロック４３の頂端には第三永久磁石４４が固定的に設けられ、前記第二中空チャンバ４７の中には第二回転軸４８が回転できるように設けられ、前記第二回転軸４８にはギヤ４９が固定的に設けられ、前記第一中空チャンバ２０の中には第四スライドブロック２１がスライドできるように設けられ、前記第四スライドブロック２１の底面と前記第一中空チャンバ２０の底面との間には第三ばね２４が固定的に連結され、前記第四スライドブロック２１の右端には第二ラック２５が固定的に設けられ、前記第二ラック２５と前記第一ラック４６とがいずれも前記ギヤ４９と噛み合っており、前記第四スライドブロック２１の頂端には第一スポンジ２２が固定的に設けられ、前記蓋５１の底面には第二スポンジ５０が固定的に設けられる。
【００１７】
有益的には、図１、図３と図４が示すように、前記乾燥脱臭装置９０は前記第三中空チャンバ１４を含み、前記第三中空チャンバ１４の頂端には第五ばね６１が固定的に設けられ、前記第五ばね６１の両側には抜き孔５８が左右に貫通するように設けられ、前記第一円筒６０の中に脱臭乾燥剤５９を置くことができ、前記第一円筒６０の外側には第二円筒６２が設けられ、前記第二円筒６２の内底壁と前記第一円筒６０の外底面との間には前記第五ばね６１が固定的に連結され、前記第四中空チャンバ１９には第三回転軸１８が左右対称のように回転できるように設けられ、前記第三回転軸１８にはリール１７が固定的に設けられ、前記第二円筒６２と前記第四スライドブロック２１との間には鋼線１５が連結され、前記鋼線１５が前記リール１７に巻き付けられ、前記第三中空チャンバ１４の頂端には連通溝５５が連通して設けられ、前記連通溝５５の右端には第四回転軸５６が連通して設けられ、前記第四回転軸５６と前記ケース本体１３の外側との間にはつまみ５２が回転できるように設けられ、前記つまみ５２にはカム５３が固定的に設けられ、前記カム５３が前記連通溝５５を閉塞し、前記つまみ５２と前記第四回転軸５６の底面との間には捻りばね５４が固定的に連結される。
【００１８】
以下、出願人は付図１−４及び上記説明した本出願のネックレス収納ケースの具体的な構成を参照し、本出願のネックレス収納ケースを詳しく紹介する：
【００１９】
まず、初期状態において、前記第一永久磁石４１と前記第三永久磁石４４とが互いに引き寄せ、前記第二永久磁石３１と前記第一永久磁石４１とが互いに反発し、前記第二永久磁石３１が前記第七スライド溝３２の中に引っ込み、前記第一円筒６０が完全に前記第二円筒６２の中にあり、前記第二円筒６２が前記第三中空チャンバ１４の頂面と接触し、前記第一永久磁石４１が前記金属片４５と接触しない。
【００２０】
ネックレスを前記第一スポンジ２２の上に置いた後、前記蓋５１を閉め、前記傾斜ブロック４０が前記第二スライド溝４２の中に挿し込み、前記傾斜ブロック４０が前記第一永久磁石４１を押圧し、前記第一永久磁石４１が左へスライドして前記金属片４５と接触し、前記金属片４５と前記第三永久磁石４４とが互いに反発し合い、前記第三永久磁石４４が下へスライドし、前記第三永久磁石４４が前記第三スライドブロック４３を連動して下へスライドさせ、前記第三スライドブロック４３が前記第一ラック４６により前記ギヤ４９を連動して回転させ、前記ギヤ４９が前記第二ギヤ２５により前記第四スライドブロック２１を連動して上へスライドさせ、前記第四スライドブロック２１が上へスライドし、これにより前記第一スポンジ２２と前記第二スポンジ５０とがネックレスをしっかりと挟む。
【００２１】
そして、前記第四スライドブロック２１が前記鋼線１５により前記第二円筒６２を連動して下へスライドさせ、前記第二円筒６２が下へスライドして前記第一円筒６０を密封しなくなり、前記第一中空チャンバ２０の中の水蒸気と変なにおいが前記抜き孔５８を通し、前記脱臭乾燥剤５９により吸収される。
【００２２】
ネックレスを取り出す時、前記Ｔ型スライドブロック３０を押し、前記Ｔ型スライドブロック３０が前記液圧配管２７により前記第二永久磁石３１を連動して上へスライドさせ、前記第二永久磁石３１が前記第二スライド溝４２の中に挿し込み、前記第一永久磁石４１を反発し、前記第一永久磁石４１が右へスライドし、前記金属片４５が前記第一永久磁石４１との接触を断ち、前記金属片４５と前記第三永久磁石４４とが再び互いに引き寄せ、ネックレスが挟まれなくなり、前記第一永久磁石４１が継続して右へスライドし、前記傾斜ブロック４０を押圧し、前記傾斜ブロック４０が前記第三スライドブロック４３から滑り出し、前記蓋５１が開けられる。
【００２３】
前記蓋５１を開けた後、前記つまみ５２を回転させることができ、前記連通溝５５により前記第一円筒６０の中に前記脱臭乾燥剤５９を添加するあるいは前記第一円筒６０から前記脱臭乾燥剤５９を注ぎ出すことができる。
【００２４】
以上により、本発明のネックレス収納ケースは操作が簡単で、しっかりとロックすることができ、同時に、本発明の装置はシンプルで、環境にやさしくて高効率で、実用性が高い。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175074.tif 000003
【図２】
2020175074.tif 000004
【図３】
2020175074.tif 000005
【図４】
2020175074.tif 000006
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
ケース本体を含み、前記ケース本体の頂端には第一固定ブロックが固定的に設けられ、前記第一固定ブロックの中には第一回転軸が回転できるように設けられ、前記第一回転軸の前後には第二固定ブロックが固定的に設けられ、前記第二固定ブロックの右端には蓋が固定的に設けられ、前記ケース本体の中には上に開口した第一中空チャンバが設けられ、前記第一中空チャンバの右端には第一スライド溝が設けられ、前記第一スライド溝と前記第一中空チャンバとの間には第二中空チャンバが連通して設けられ、前記第一スライド溝の右側頂端には第二スライド溝が連通して設けられ、前記蓋と前記第一スライド溝との間にはバックル装置が設けられ、前記第一中空チャンバと前記第一スライド溝との間には圧着装置が設けられ、前記第一中空チャンバの左端には第三中空チャンバが連通して設けられ、前記第一中空チャンバの底端には第四中空チャンバが設けられ、前記第三中空チャンバと前記第一中空チャンバとの間には乾燥脱臭装置が設けられ、
前記バックル装置は前記蓋を含み、前記蓋の末端には第三スライド溝が左右に貫通するように設けられ、前記第三スライド溝の中には傾斜ブロックがスライドできるように設けられ、前記第三スライド溝の頂端には第四スライド溝が連通して設けられ、前記第四スライド溝の中には前記傾斜ブロックと固定的に連結される第一スライドブロックがスライドできるように設けられ、前記第一スライドブロックと前記第四スライド溝の左側端面との間には第一ばねが固定的に連結され、前記第二スライド溝の中には第一永久磁石がスライドできるように設けられ、前記第二スライド溝の頂端には金属片が固定的に設けられ、前記第二スライド溝の底端には第六スライド溝が連通して設けられ、前記第六スライド溝の中には前記第一永久磁石と固定的に連結される第二スライドブロックがスライドできるように設けられ、前記第二スライドブロックと前記第六スライド溝の右側端面との間には第二ばねが固定的に連結され、前記第二スライド溝の底端には第七スライド溝が連通して設けられ、前記第七スライド溝の中には第二永久磁石がスライドできるように設けられ、前記第七スライド溝の底端には第八スライド溝が設けられ、前記第八スライド溝の中にはＴ型スライドブロックがスライドできるように設けられ、前記Ｔ型スライドブロックと前記第八スライド溝の端面との間には第三ばねが固定的に連結され、前記Ｔ型スライドブロックと前記第二永久磁石との間には液圧配管が伝動できるように設けられ、
前記圧着装置は前記第一スライド溝を含み、前記第一スライド溝の中には第三スライドブロックがスライドできるように設けられ、前記第三スライドブロックの左端には第一ラックが固定的に設けられ、前記第三スライドブロックの頂端には第三永久磁石が固定的に設けられ、前記第二中空チャンバの中には第二回転軸が回転できるように設けられ、前記第二回転軸にはギヤが固定的に設けられ、前記第一中空チャンバの中には第四スライドブロックがスライドできるように設けられ、前記第四スライドブロックの底面と前記第一中空チャンバの底面との間には第三ばねが固定的に連結され、前記第四スライドブロックの右端には第二ラックが固定的に設けられ、前記第二ラックと前記第一ラックとがいずれも前記ギヤと噛み合っており、前記第四スライドブロックの頂端にはネックレスを収納できる第一スポンジが固定的に設けられ、前記蓋の底面には第二スポンジが固定的に設けられ、
前記乾燥脱臭装置は前記第三中空チャンバを含み、前記第三中空チャンバの頂端には第五ばねが固定的に設けられ、前記第五ばねの両側には抜き孔が左右に貫通するように設けられ、前記第一円筒の中に脱臭乾燥剤を置くことができ、前記第一円筒の外側には第二円筒が設けられ、前記第二円筒の内底壁と前記第一円筒の外底面との間には前記第五ばねが固定的に連結され、前記第四中空チャンバには第三回転軸が左右対称のように回転できるように設けられ、前記第三回転軸にはリールが固定的に設けられ、前記第二円筒と前記第四スライドブロックとの間には鋼線が連結され、前記鋼線が前記リールに巻き付けられ、前記第三中空チャンバの頂端には連通溝が連通して設けられ、前記連通溝の右端には第四回転軸が連通して設けられ、前記第四回転軸と前記ケース本体の外側との間にはつまみが回転できるように設けられ、前記つまみにはカムが固定的に設けられ、前記カムが前記連通溝を閉塞し、前記つまみと前記第四回転軸の底面との間には捻りばねが固定的に連結され、
ネックレスを前記第一スポンジの上に置いた後、前記蓋を閉め、前記傾斜ブロックが前記第二スライド溝の中に挿し込み、前記傾斜ブロックが前記第一永久磁石を押圧し、前記第一永久磁石が左へスライドして前記金属片と接触し、前記金属片と前記第三永久磁石とが互いに反発し合い、前記第三永久磁石が下へスライドし、前記第三永久磁石が前記第三スライドブロックを連動して下へスライドさせ、前記第三スライドブロックが前記第一ラックにより前記ギヤを連動して回転させ、前記ギヤが前記第二ギヤにより前記第四スライドブロックを連動して上へスライドさせ、前記第四スライドブロックが上へスライドし、これにより前記第一スポンジと前記第二スポンジとがネックレスをしっかりと挟み、
そして、前記第四スライドブロックが前記鋼線により前記第二円筒を連動して下へスライドさせ、前記第二円筒が下へスライドして前記第一円筒を密封しなくなり、前記第一中空チャンバの中の水蒸気と変なにおいが前記抜き孔を通し、前記脱臭乾燥剤により吸収され、
ネックレスを取り出す時、前記Ｔ型スライドブロックを押し、前記Ｔ型スライドブロックが前記液圧配管により前記第二永久磁石を連動して上へスライドさせ、前記第二永久磁石が前記第二スライド溝の中に挿し込み、前記第一永久磁石を反発し、前記第一永久磁石が右へスライドし、前記金属片が前記第一永久磁石との接触を断ち、前記金属片と前記第三永久磁石とが再び互いに引き寄せ、ネックレスが挟まれなくなり、前記第一永久磁石が継続して右へスライドし、前記傾斜ブロックを押圧し、前記傾斜ブロックが前記第三スライドブロックから滑り出し、前記蓋が開けられ、
前記蓋を開けた後、前記つまみを回転させることができ、前記連通溝により前記第一円筒の中に前記脱臭乾燥剤を添加するあるいは前記第一円筒から前記脱臭乾燥剤を注ぎ出すことができることを特徴とするネックレス収納ケース。
【手続補正２】
【補正対象書類名】明細書
【補正対象項目名】全文
【補正方法】変更
【補正の内容】
【発明の詳細な説明】
【技術分野】
【０００１】
本発明はアクセサリー生産分野を取り上げて、具体的にはネックレス収納ケースである。
【背景技術】
【０００２】
従来のネックレス収納ケースは異なる厚さのネックレスに対応できなく、ネックレスが厚すぎるあるいは薄すぎる時は余計に収納ケースを変える必要があり、つけられた後のネックレスには汗等が残り、直接そのまま収納ケースに保存してしまうと変なにおいがすることがあり、直接乾燥剤と芳香剤を置くと、普段ネックレスが収納されない時も乾燥剤と芳香剤を消耗するので、環境に優しくなく、
そのため、ネックレス収納ケースを設計して以上の問題を解決することが必要であり、ネックレス収納を実現すると同時に、シンプルで環境に優しく、実用性が高い。
【先行技術文献】
【特許文献】
【０００３】
【特許文献１】中国特許出願公開第１０５８５７８２９号明細書
【発明の概要】
【発明が解決しようとする課題】
【０００４】
本発明はネックレス収納ケースを提供し、上記の従来技術における問題を解決することを
目的とする。
【課題を解決するための手段】
【０００５】
本発明は以下の技術プランにより実現される：本発明のネックレス収納ケースは、当該収納ケースはケース本体を含み、前記ケース本体の頂端には第一固定ブロックが固定的に設けられ、前記第一固定ブロックの中には第一回転軸が回転できるように設けられ、前記第一回転軸の前後には第二固定ブロックが固定的に設けられ、前記第二固定ブロックの右端には蓋が固定的に設けられ、前記ケース本体の中には上に開口した第一中空チャンバが設けられ、前記第一中空チャンバの右端には第一スライド溝が設けられ、前記第一スライド溝と前記第一中空チャンバとの間には第二中空チャンバが連通して設けられ、前記第一スライド溝の右側頂端には第二スライド溝が連通して設けられ、前記蓋と前記第一スライド溝との間にはバックル装置が設けられ、前記第一中空チャンバと前記第一スライド溝との間には圧着装置が設けられ、前記第一中空チャンバの左端には第三中空チャンバが連通して設けられ、前記第一中空チャンバの底端には第四中空チャンバが設けられ、前記第三中空チャンバと前記第一中空チャンバとの間には乾燥脱臭装置が設けられる。
【０００６】
その中、前記バックル装置は前記蓋を含み、前記蓋の末端には第三スライド溝が左右に貫通するように設けられ、前記第三スライド溝の中には傾斜ブロックがスライドできるように設けられ、前記第三スライド溝の頂端には第四スライド溝が連通して設けられ、前記第四スライド溝の中には前記傾斜ブロックと固定的に連結される第一スライドブロックがスライドできるように設けられ、前記第一スライドブロックと前記第四スライド溝の左側端面との間には第一ばねが固定的に連結され、前記第二スライド溝の中には第一永久磁石がスライドできるように設けられ、前記第二スライド溝の頂端には金属片が固定的に設けられ、前記第二スライド溝の底端には第六スライド溝が連通して設けられ、前記第六スライド溝の中には前記第一永久磁石と固定的に連結される第二スライドブロックがスライドできるように設けられ、前記第二スライドブロックと前記第六スライド溝の右側端面との間には第二ばねが固定的に連結され、前記第二スライド溝の底端には第七スライド溝が連通して設けられ、前記第七スライド溝の中には第二永久磁石がスライドできるように設けられ、前記第七スライド溝の底端には第八スライド溝が設けられ、前記第八スライド溝の中にはＴ型スライドブロックがスライドできるように設けられ、前記Ｔ型スライドブロックと前記第八スライド溝の端面との間には第三ばねが固定的に連結され、前記Ｔ型スライドブロックと前記第二永久磁石との間には液圧配管が伝動できるように設けられる。
【０００７】
その中、前記圧着装置は前記第一スライド溝を含み、前記第一スライド溝の中には第三スライドブロックがスライドできるように設けられ、前記第三スライドブロックの左端には第一ラックが固定的に設けられ、前記第三スライドブロックの頂端には第三永久磁石が固定的に設けられ、前記第二中空チャンバの中には第二回転軸が回転できるように設けられ、前記第二回転軸にはギヤが固定的に設けられ、前記第一中空チャンバの中には第四スライドブロックがスライドできるように設けられ、前記第四スライドブロックの底面と前記第一中空チャンバの底面との間には第三ばねが固定的に連結され、前記第四スライドブロックの右端には第二ラックが固定的に設けられ、前記第二ラックと前記第一ラックとがいずれも前記ギヤと噛み合っており、前記第四スライドブロックの頂端にはネックレスを収納できる第一スポンジが固定的に設けられ、前記蓋の底面には第二スポンジが固定的に設けられる。
【０００８】
好ましくは、前記乾燥脱臭装置は前記第三中空チャンバを含み、前記第三中空チャンバの頂端には第五ばねが固定的に設けられ、前記第五ばねの両側には抜き孔が左右に貫通するように設けられ、前記第一円筒の中に脱臭乾燥剤を置くことができ、前記第一円筒の外側には第二円筒が設けられ、前記第二円筒の内底壁と前記第一円筒の外底面との間には前記第五ばねが固定的に連結され、前記第四中空チャンバには第三回転軸が左右対称のように回転できるように設けられ、前記第三回転軸にはリールが固定的に設けられ、前記第二円筒と前記第四スライドブロックとの間には鋼線が連結され、前記鋼線が前記リールに巻き付けられ、前記第三中空チャンバの頂端には連通溝が連通して設けられ、前記連通溝の右端には第四回転軸が連通して設けられ、前記第四回転軸と前記ケース本体の外側との間にはつまみが回転できるように設けられ、前記つまみにはカムが固定的に設けられ、前記カムが前記連通溝を閉塞し、前記つまみと前記第四回転軸の底面との間には捻りばねが固定的に連結される。
【発明の効果】
【０００９】
以上により、本発明のネックレス収納ケースは操作が簡単で、しっかりとロックすることができ、同時に、本発明の装置はシンプルで、環境にやさしくて高効率で、実用性が高い。
【図面の簡単な説明】
【００１０】
説明しやすいために、本発明は下記の具体的な実施例及び付図により詳しく説明する。
【００１１】
【図１】図１は本発明のネックレス収納ケースの全体構成模式図
【図２】図２は図１の中のＡ−Ａの拡大構成模式図
【図３】図３は図１の中のＢ−Ｂの拡大構成模式図
【図４】図４は図１の中のＣの拡大構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１４】
図１〜４が示すように、本発明のネックレス収納ケースは、当該収納ケースはケース本体１３を含み、前記ケース本体１３の頂端には第一固定ブロック１１が固定的に設けられ、前記第一固定ブロック１１の中には第一回転軸１０が回転できるように設けられ、前記第一回転軸１０の前後には第二固定ブロック１２が固定的に設けられ、前記第二固定ブロック１２の右端には蓋５１が固定的に設けられ、前記ケース本体１３の中には上に開口した第一中空チャンバ２０が設けられ、前記第一中空チャンバ２０の右端には第一スライド溝２６が設けられ、前記第一スライド溝２６と前記第一中空チャンバ２０との間には第二中空チャンバ４７が連通して設けられ、前記第一スライド溝２６の右側頂端には第二スライド溝４２が連通して設けられ、前記蓋５１と前記第一スライド溝２６との間にはバックル装置９２が設けられ、前記第一中空チャンバ２０と前記第一スライド溝２６との間には圧着装置９１が設けられ、前記第一中空チャンバ２０の左端には第三中空チャンバ１４が連通して設けられ、前記第一中空チャンバ２０の底端には第四中空チャンバ１９が設けられ、前記第三中空チャンバ１４と前記第一中空チャンバ２０との間には乾燥脱臭装置９０が設けられる。
【００１５】
以下、前記バックル装置９２を実現するための具体的な実施方式を詳しく紹介し、前記バックル装置９２は前記蓋５１を含み、前記蓋５１の末端には第三スライド溝３６が左右に貫通するように設けられ、前記第三スライド溝３６の中には傾斜ブロック４０がスライドできるように設けられ、前記第三スライド溝３６の頂端には第四スライド溝３７が連通して設けられ、前記第四スライド溝３７の中には前記傾斜ブロック４０と固定的に連結される第一スライドブロック３８がスライドできるように設けられ、前記第一スライドブロック３８と前記第四スライド溝３７の左側端面との間には第一ばね３９が固定的に連結され、前記第二スライド溝４２の中には第一永久磁石４１がスライドできるように設けられ、前記第二スライド溝４２の頂端には金属片４５が固定的に設けられ、前記第二スライド溝４２の底端には第六スライド溝３３が連通して設けられ、前記第六スライド溝３３の中には前記第一永久磁石４１と固定的に連結される第二スライドブロック３４がスライドできるように設けられ、前記第二スライドブロック３４と前記第六スライド溝３３の右側端面との間には第二ばね３５が固定的に連結され、前記第二スライド溝４２の底端には第七スライド溝３２が連通して設けられ、前記第七スライド溝３２の中には第二永久磁石３１がスライドできるように設けられ、前記第七スライド溝３２の底端には第八スライド溝２９が設けられ、前記第八スライド溝２９の中にはＴ型スライドブロック３０がスライドできるように設けられ、前記Ｔ型スライドブロック３０と前記第八スライド溝２９の端面との間には第三ばね２８が固定的に連結され、前記Ｔ型スライドブロック３０と前記第二永久磁石３１との間には液圧配管２７が伝動できるように設けられる。
【００１６】
そして、図１を参照して本出願の前記圧着装置９１を詳しく紹介し、前記圧着装置９１は前記第一スライド溝２６を含み、前記第一スライド溝２６の中には第三スライドブロック４３がスライドできるように設けられ、前記第三スライドブロック４３の左端には第一ラック４６が固定的に設けられ、前記第三スライドブロック４３の頂端には第三永久磁石４４が固定的に設けられ、前記第二中空チャンバ４７の中には第二回転軸４８が回転できるように設けられ、前記第二回転軸４８にはギヤ４９が固定的に設けられ、前記第一中空チャンバ２０の中には第四スライドブロック２１がスライドできるように設けられ、前記第四スライドブロック２１の底面と前記第一中空チャンバ２０の底面との間には第三ばね２４が固定的に連結され、前記第四スライドブロック２１の右端には第二ラック２５が固定的に設けられ、前記第二ラック２５と前記第一ラック４６とがいずれも前記ギヤ４９と噛み合っており、前記第四スライドブロック２１の頂端にはネックレスを収納できる第一スポンジ２２が固定的に設けられ、前記蓋５１の底面には第二スポンジ５０が固定的に設けられる。
【００１７】
有益的には、図１、図３と図４が示すように、前記乾燥脱臭装置９０は前記第三中空チャンバ１４を含み、前記第三中空チャンバ１４の頂端には第五ばね６１が固定的に設けられ、前記第五ばね６１の両側には抜き孔５８が左右に貫通するように設けられ、前記第一円筒６０の中に脱臭乾燥剤５９を置くことができ、前記第一円筒６０の外側には第二円筒６２が設けられ、前記第二円筒６２の内底壁と前記第一円筒６０の外底面との間には前記第五ばね６１が固定的に連結され、前記第四中空チャンバ１９には第三回転軸１８が左右対称のように回転できるように設けられ、前記第三回転軸１８にはリール１７が固定的に設けられ、前記第二円筒６２と前記第四スライドブロック２１との間には鋼線１５が連結され、前記鋼線１５が前記リール１７に巻き付けられ、前記第三中空チャンバ１４の頂端には連通溝５５が連通して設けられ、前記連通溝５５の右端には第四回転軸５６が連通して設けられ、前記第四回転軸５６と前記ケース本体１３の外側との間にはつまみ５２が回転できるように設けられ、前記つまみ５２にはカム５３が固定的に設けられ、前記カム５３が前記連通溝５５を閉塞し、前記つまみ５２と前記第四回転軸５６の底面との間には捻りばね５４が固定的に連結される。
【００１８】
以下、出願人は付図１−４及び上記説明した本出願のネックレス収納ケースの具体的な構成を参照し、本出願のネックレス収納ケースを詳しく紹介する：
【００１９】
まず、初期状態において、前記第一永久磁石４１と前記第三永久磁石４４とが互いに引き寄せ、前記第二永久磁石３１と前記第一永久磁石４１とが互いに反発し、前記第二永久磁石３１が前記第七スライド溝３２の中に引っ込み、前記第一円筒６０が完全に前記第二円筒６２の中にあり、前記第二円筒６２が前記第三中空チャンバ１４の頂面と接触し、前記第一永久磁石４１が前記金属片４５と接触しない。
【００２０】
ネックレスを前記第一スポンジ２２の上に置いた後、前記蓋５１を閉め、前記傾斜ブロック４０が前記第二スライド溝４２の中に挿し込み、前記傾斜ブロック４０が前記第一永久磁石４１を押圧し、前記第一永久磁石４１が左へスライドして前記金属片４５と接触し、前記金属片４５と前記第三永久磁石４４とが互いに反発し合い、前記第三永久磁石４４が下へスライドし、前記第三永久磁石４４が前記第三スライドブロック４３を連動して下へスライドさせ、前記第三スライドブロック４３が前記第一ラック４６により前記ギヤ４９を連動して回転させ、前記ギヤ４９が前記第二ギヤ２５により前記第四スライドブロック２１を連動して上へスライドさせ、前記第四スライドブロック２１が上へスライドし、これにより前記第一スポンジ２２と前記第二スポンジ５０とがネックレスをしっかりと挟む。
【００２１】
そして、前記第四スライドブロック２１が前記鋼線１５により前記第二円筒６２を連動して下へスライドさせ、前記第二円筒６２が下へスライドして前記第一円筒６０を密封しなくなり、前記第一中空チャンバ２０の中の水蒸気と変なにおいが前記抜き孔５８を通し、前記脱臭乾燥剤５９により吸収される。
【００２２】
ネックレスを取り出す時、前記Ｔ型スライドブロック３０を押し、前記Ｔ型スライドブロック３０が前記液圧配管２７により前記第二永久磁石３１を連動して上へスライドさせ、前記第二永久磁石３１が前記第二スライド溝４２の中に挿し込み、前記第一永久磁石４１を反発し、前記第一永久磁石４１が右へスライドし、前記金属片４５が前記第一永久磁石４１との接触を断ち、前記金属片４５と前記第三永久磁石４４とが再び互いに引き寄せ、ネックレスが挟まれなくなり、前記第一永久磁石４１が継続して右へスライドし、前記傾斜ブロック４０を押圧し、前記傾斜ブロック４０が前記第三スライドブロック４３から滑り出し、前記蓋５１が開けられる。
【００２３】
前記蓋５１を開けた後、前記つまみ５２を回転させることができ、前記連通溝５５により前記第一円筒６０の中に前記脱臭乾燥剤５９を添加するあるいは前記第一円筒６０から前記脱臭乾燥剤５９を注ぎ出すことができる。
【００２４】
以上により、本発明のネックレス収納ケースは操作が簡単で、しっかりとロックすることができ、同時に、本発明の装置はシンプルで、環境にやさしくて高効率で、実用性が高い。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。